(57)【要約】【課題】  赤外、赤色、青色ＬＤ対応など種類の異なる光ディスクを一台の装置で記録するため、波長の異なる２個以上のＬＤを一つのドライバ回路で駆動する。【解決手段】  ＬＤ１とＬＤ２の抵抗成分と容量成分をそれぞれ付加抵抗Ｒ２Ａ及び付加容量Ｃ２Ａによって補い、ドライバ回路の負荷をＬＤ１側とＬＤ２側で一定にして駆動する。【選択図】  図２ａ
2006012258.tif 000002
【特許請求の範囲】
【請求項１】
第１の波長の光を照射する第１の光源と、
第２の波長の光を照射する第２の光源と、
前記第１の光源又は第２の光源を選択的に駆動するドライバ回路とを備える光記録装置において、
前記ドライバ回路から前記第１の光源及び第２の光源を負荷として見たときドライバ負荷の抵抗成分の小さい方の光源に直列に抵抗を付加したことを特徴とする光記録装置。
【請求項２】
請求項１記載の光記録装置において、第３の波長の光を照射する第３の光源を有し、前記ドライバ回路から前記第１の光源、第２の光源及び第３の光源を負荷として見たときドライバ負荷の抵抗成分の最も大きい光源以外の光源に直列に抵抗を付加したことを特徴とする光記録装置。
【請求項３】
請求項１記載の光記録装置において、前記ドライバ回路の負荷の抵抗成分が前記第１の光源側と前記第２の光源側とで実質的に同一であることを特徴とする光記録装置。
【請求項４】
請求項１記載の光記録装置において、前記ドライバ回路から前記第１の光源及び第２の光源を負荷として見たときドライバ負荷の容量成分の小さい方の光源に並列に容量を付加したことを特徴とする光記録装置。
【請求項５】
請求項４記載の光記録装置において、前記ドライバ回路の負荷の容量成分が前記第１の光源側と前記第２の光源側とで実質的に同一であることを特徴とする光記録装置。
【請求項６】
請求項１記載の光記録装置において、前記第１の光源、第２の光源及びドライバ回路は可動な光ピックアップに搭載されていることを特徴とする光記録装置。
【請求項７】
第１の波長の光を照射する第１の光源と、
第２の波長の光を照射する第２の光源と、
前記第１の光源又は第２の光源を選択的に駆動するドライバ回路とを備える光記録装置において、
前記ドライバ回路から前記第１の光源及び第２の光源を負荷として見たときドライバ負荷の容量成分の小さい方の光源に並列に容量を付加したことを特徴とする光記録装置。
【請求項８】
請求項７記載の光記録装置において、第３の波長の光を照射する第３の光源を有し、前記ドライバ回路から前記第１の光源、第２の光源及び第３の光源を負荷として見たときドライバ負荷の容量成分の最も大きい光源以外の光源に並列に容量を付加したことを特徴とする光記録装置。
【請求項９】
請求項７記載の光記録装置において、前記ドライバ回路の負荷の容量成分が第１の光源側と第２の光源側とで実質的に同一であることを特徴とする光記録装置。
【請求項１０】
請求項７記載の光記録装置において、前記第１の光源、第２の光源、及びドライバ回路は可動な光ピックアップに搭載されていることを特徴とする光記録装置。
【請求項１１】
最大動作周波数ｆｍｘで第１の波長の光を照射する第１の光源と、
前記周波数ｆｍｘより低い最大動作周波数ｆｍｙで第２の波長の光を照射する第２の光源と、
前記周波数ｆｍｙより低い最大動作周波数ｆｍｚで第３の波長の光を照射する第３の光源と、
前記第１の光源、第２の光源又は第３の光源を選択的に駆動するドライバ回路とを備える光記録装置において、
前記ドライバ回路から前記第１の光源までの配線長は前記ドライバ回路から前記第２の光源までの配線長より短く、前記ドライバ回路から前記第２の光源までの配線長は前記ドライバ回路から前記第３の光源までの配線長より短いことを特徴とする光記録装置。
【請求項１２】
請求項１１記載の光記録装置において、μ0を真空の透磁率、ε0を真空の誘電率、εsを前記ドライバ回路の出力端子と前記各光源の入力端子との間を接続する配線周りの材料の実効的な比誘電率とするとき、前記ドライバ回路から前記第１の光源までの配線長は（μ0ε0εs）-0.5／ｆｍｘの１／１０以下であり、前記ドライバ回路から前記第２の光源までの配線長は（μ0ε0εs）-0.5／ｆｍｙの１／１０以下であり、前記ドライバ回路から前記第３の光源までの配線長は（μ0ε0εs）-0.5／ｆｍｚの１／１０以下であることを特徴とする光記録装置。
【請求項１３】
請求項１１記載の光記録装置において、前記第１の光源、第２の光源及び第３の光源は可動な光ピックアップに搭載されていることを特徴とする光記録装置。
【請求項１４】
請求項１１記載の光記録装置において、前記第１の光源、第２の光源、第３の光源及びドライバ回路は可動な光ピックアップに搭載されていることを特徴とする光記録装置。
【請求項１５】
請求項１３記載の光記録装置において、前記ドライバ回路から前記第１の光源までの信号、第２の光源までの信号、第３の光源までの信号のうち１つ以上の信号はプリエンファシスされていることを特徴とする光記録装置
【請求項１６】
請求項１５記載の光記録装置において、前記プリエンファシスの調整量は、前記第１の光源までの信号と、前記第２の光源までの信号と前記第３の光源までの信号とで異なることを特徴とする光記録装置。
【発明の詳細な説明】
【技術分野】
【０００１】
本発明は、情報記録媒体に対する情報記録の際にマルチパルス化された光変調波形を駆動・制御するＣＤ−Ｒドライブ、ＣＤ−ＲＷドライブ、ＤＶＤ−Ｒドライブ、ＤＶＤ−ＲＷドライブ、ＤＶＤ−ＲＡＭドライブ、Blu-Rayドライブ、ＨＤ−ＤＶＤドライブ等の光記録装置に関する。
【背景技術】
【０００２】
光記録装置は大容量化が進み、従来までの赤外レーザ（波長７８０ｎｍ）を用いたＣＤや赤色レーザ（波長６５０ｎｍ）を用いたＤＶＤ、さらに青色レーザ（４０５ｎｍ）を用いたBlu-Lay Disk（ＢＤ）やHigh Density（ＨＤ）−ＤＶＤの製品化が始まっている。今後は更にこの赤外レーザ、赤色レーザ、青色レーザの３つそれぞれの互換光ピックアップが開発されていく。光ピックアップは、情報を記録する際などに情報記録媒体の半径方向に駆動するため、小型化は必須であるが、波長の違う２つもしくは３つのレーザの互換光ピックアップでは部品点数の増加は避けられない状況である。さらピックアップに搭載されたレーザダイオード（ＬＤ）の近傍に配置されるＬＤドライバ回路は、通常は駆動するＬＤに合わせて設計されている。このＬＤドライバからストラテジーと呼ばれるパルス電流波形でＬＤを駆動する。
【０００３】
例えば、ＤＶＤ−ＲＷに利用されるライトストラテジ技術は（図１２のライトストラテジを参照）、３種類のパワーレベルを持つ複数のレーザパルスを利用する。３種類のパワーレベルは、高いレベルから順に、ライトパワーＰｗ、イレイズパワーＰｅ、ボトムパワーＰｂである。上記のライトパワーＰｗのレーザ光で光ディスクを照射すると、光ディスクの記録膜が溶融される。その後、急冷すると、光ディスクはアモルファス状態（非晶質状態）となり、光の反射率が低くなる。これが記録マークとして利用される。また、イレイズパワーＰｅのレーザ光で光ディスクを照射すると、光ディスクの記録膜は結晶状態にされる。レーザ光照射前に非晶質状態であった光ディスク部分は結晶状態になり、元々結晶状態であった光ディスク部分は、そのまま結晶状態に留まる。これにより、記録マークを消去できる。
【０００４】
図１３に、駆動波形と光出力の関係を示す。ＣＤ用の赤外ＬＤ（波長７８０ｎｍ）とＤＶＤ用の赤色ＬＤ（６５０ｎｍ）は波長が近いため使われる化合物半導体の材料も類似し、特性に大きな違いはなかった。しかしながら次世代ＤＶＤである青色ＬＤはＧａＮという特別な化合物半導体材料を用いているためＬＤの特性も従来とは異なる。
【０００５】
【特許文献１】特開2002-25104号公報
【発明の開示】
【発明が解決しようとする課題】
【０００６】
赤外ＬＤ、赤色ＬＤ、青色ＬＤはそれぞれ材料が違うため、様々な特性が異なる。具体的には、図３に示すようにレーザダイオード（ＬＤ）を等価回路で表したときの抵抗値Ｒや容量値Ｃが異なる。これに対して、通常このＬＤを駆動する回路（ＬＤドライバ回路）は駆動対象の負荷（抵抗や容量）に合わせて設計する。装置全体の小型化を考えると、複数のＬＤを搭載した光ピックアップは、それぞれのＬＤに対して専用のＬＤドライバ回路を設けるのではなく、一つのＬＤドライバ回路で複数のＬＤを駆動できる構成にしたい。しかしながら一つのＬＤドライバで負荷の違うＬＤを駆動すると、負荷が設計に対し小さい場合リンギングなど波形劣化が生じ、負荷が大きい場合立上り／立下り時間の劣化、振幅の減少などが生じる。
【０００７】
また今後、光ディスクの高速化が進むと、ＤＶＤ１６倍速やＢＤ１０倍速相当の高速記録では数１００ＭＨｚ〜ＧＨｚオーダーの高周波のパルスを扱うことになる。通常、光ディスクでは配線をインピーダンス整合することはないため、高速化により配線による波形劣化の影響が出てくる。一般に配線長を無視できるのは配線長が波長の１／１０以下の場合であり、早い立上り／立下り時間をもつ波形はさらに数倍の高周波成分を含んでいるため、波長の１／１０より短い配線長が必須となる。しかしながら赤外ＬＤ、赤色ＬＤ、青色ＬＤの互換ヘッドの場合、ＬＤドライバ回路との距離が長くなるＬＤが存在し、高周波成分が劣化する。
【０００８】
本発明は以上の点を考慮し、２つ以上の特性の異なるＬＤを一つのＬＤドライバ回路で駆動可能とする光記録装置および記録方法を提供することを目的とする。
【課題を解決するための手段】
【０００９】
材料の異なる２つのＬＤの電流（Ｉ）−電圧（Ｖ）特性の例を図４に示す。ここでＬＤ１とＬＤ２が動作範囲でＩ−Ｖ特性が異なるということは、負荷として抵抗値が異なることを意味する。このように負荷の異なる複数のＬＤを一つのドライバ回路で駆動するには、負荷の一番大きいと考えられるＬＤに合わせて設計されたドライバ回路を用いる。このとき、ＬＤを図３のように容量成分と抵抗成分で記述できると考える。抵抗成分は、これまで述べてきたようにＬＤを作製する材料に大きく依存する。一方、容量成分は、まずダイオードがＰＮ接合で形成されていることに依存する。ＰＮ接合による接合容量は接合面積によって大きく異なる。記録の高速化が進むと、短時間で光ディスクを結晶化させたりアモルファス化させたりしなければならないため、一般的にＬＤの出力パワーが増える。出力パワーを大きくするためには、ＬＤは全体的に大きくなり、容量も増加する。
【００１０】
このように、駆動するＬＤの抵抗値や容量値が異なると、様々な問題が起こる。例えば、図３中の抵抗が小さいＬＤを駆動するとオーバーシュート、アンダーシュートなどが問題となる。これを解決する一つの手段として、異なるＬＤの抵抗成分Ｒと容量成分Ｃをそれぞれ補うことにより、ドライバ回路からみて負荷（ここではＬＤを意味する）を一定に保つ。この結果、一つのドライバで異なるＬＤを駆動する。例えばＬＤ１とＬＤ２の２つのレーザダイオードを搭載した光ピックアップの場合、ドライバ回路からレーザダイオードを負荷として見たときドライバ負荷の抵抗成分の小さい方のＬＤに直列に抵抗を付加し、ドライバ回路の負荷の抵抗成分をＬＤ１側とＬＤ２側とで実質的に同一にする。また、ドライバ負荷の容量成分の小さい方のＬＤに並列に容量を付加し、ドライバ回路の負荷の容量成分をＬＤ１側とＬＤ２側とで実質的に同一にする。
【００１１】
次に、高速記録対応について考える。インダクタンス成分は高速（高周波）になるほど損失や波形劣化が問題となり、その値はＬＤとＬＤドライバ回路の配線長に大きく依存する。そのため、まず高速性の高いＬＤまでの距離が短くなるようＬＤドライバ回路を配置する。例えば図７（ａ）ではＬ１＜Ｌ２、図７（ｂ）ではＬ１＜Ｌ２＜Ｌ３となるように配置する。この時のＬＤ−ＬＤドライバ回路間の距離の目安を導く。例えば、ＤＶＤ１６倍速の１６分周では、ウィンドウ幅（１Ｔｗ）が約２ｎｓとなり５００ＭＨｚ相当になる。このときの波長λを次式（１）で計算する。
λ＝（μ0ε0εs）-0.5／ｆｍ      （１）
【００１２】
但し、ｆｍは周波数、μ0は真空の透磁率であり、ε0は真空の誘電率、εsは配線周りの材料の実効的な比誘電率である。比誘電率９を仮定すると、波長λは約２０ｃｍとなる。ひとつの目安として（１／１０）λ以下であるから、この場合の配線長は２ｃｍ以下が望ましい。また、なんらかの要因によりＬＤ−ドライバ回路間の距離が長く、高周波伝送が困難な場合は、伝送路の周波数特性をあらかじめ求めておき、その特性を補償するためにデータ送信時に特定の周波数を強調して送るプリエンファシス技術を導入する。この技術により、伝送後のアイ・パターンの開口を大きくできる。
【００１３】
本発明の記録装置および記録方式は、２つ以上のＬＤを一つのＬＤドライバ回路で駆動可能にする。特に毎秒１００Ｍビット以上の転送速度の光ディスクストレージシステムに好適である。
【発明の効果】
【００１４】
本発明によると、光ディスクにおいて２つ以上のレーザダイオードを用いる場合、一つのレーザドライバ回路で駆動可能になる。
【発明を実施するための最良の形態】
【００１５】
以下、図面を参照して本発明の実施の形態を説明する。以下の図において、同じ構成部分には同一の符号を付けて説明する。
【００１６】
［実施例１］
２種類のレーザダイオードＬＤ１，ＬＤ２を１つのＬＤドライバ回路で選択的に駆動する実施例について説明する。図１は、本実施例の光記録装置の概略図である。細い矢印は電気信号を表し、太い矢印は光信号を表す。光ピックアップ２０には、ＬＤ１，ＬＤ２と共にＬＤドライバ回路１０が搭載されている。記録データ１６は符号化回路１７で符号化され、符号化された信号は記録パルス生成回路１８によって光ディスク１９に書き込むためのストラテジーを形成する信号に変換される。記録パルス生成回路１８からの信号はＬＤドライバ回路１０に入力され、ＬＤ１あるいはＬＤ２が駆動されて光ディスク１９に記録が行われる。
【００１７】
図２ａは、ＬＤドライバ回路とＬＤの概略図である。ＬＤドライバ回路は、内部にＬＤ１とＬＤ２の切り替えスイッチ１５を備えている。このスイッチ１５によりＬＤ１とＬＤ２の切り替えを行う。また、ＬＤ１，ＬＤ２はそれぞれ異なる閾値電圧をもつため、それぞれ所望の電源電圧を必要とし、駆動対象となったＬＤ側にのみ電源供給される。ＬＤドライバ回路１０からは駆動電流パルス信号がＬ１もしくはＬ２のインダクタンスを通して送られる。ここではＬ１とＬ２は高周波に対して十分小さい値であると考える。
【００１８】
ＬＤ１及びＬＤ２を、それぞれ図３に示したように抵抗Ｒと容量Ｃからなる等価回路で表す。ＬＤ１は抵抗Ｒ１と容量Ｃ１で表され、ＬＤ２は抵抗Ｒ２と容量Ｃ２で表されるものとする。Ｃ１，Ｃ２はダイオードを形成するＰＮ接合による接合容量を表し、Ｒ１，Ｒ２はＩ−Ｖ特性の発振後の微分抵抗を表す。この抵抗と容量の２つを駆動時のパラメータとして考える。
【００１９】
一例として、ＬＤ１のパラメータＲ１，Ｃ１の値に対してＬＤ２のパラメータＲ２，Ｃ２の値がそれぞれ半分であるとする。すなわち、Ｒ２＝Ｒ１／２，Ｃ２＝Ｃ１／２であるとする。この時、図２ａに示すように、抵抗Ｒ２Ａ（＝Ｒ２）をＬＤ２に直列に付加し、容量Ｃ２Ａ（＝Ｃ２）をＬＤ２に並列に付加する。これらを付加することにより、ＬＤドライバ回路１０の負荷としてＬＤ１とＬＤ２を同じにする。なお、図２ａでは電流を供給する接続を示しているが、電流を引き抜くＬＤドライバ回路でも同様である。
【００２０】
ＤＶＤ１６倍速のウィンドウ幅に相当するＬＤ２の５００ＭＨｚのパルス駆動波形を図５に示す。図５（ａ）は抵抗及び容量を付加した駆動波形を示し、図５（ｂ）は抵抗及び容量を付加していない駆動波形を示す。図５（ｂ）の波形ではオーバーシュートが起きており、ＬＤパワーの最高値が高くなっている。両特性を比較すれば、本発明によってＬＤ２の波形劣化が大きく低減できること、即ち、本発明によってＬＤの駆動信号の劣化が低減できることを容易に理解することが出来る。
【００２１】
なお、ＬＤ２に付加する抵抗Ｒ２Ａ及び容量Ｃ２Ａの大きさは、それらを付加したとき、ドライバ回路の負荷の抵抗成分及び容量成分がＬＤ１側とＬＤ２側において実質的に同一と見なすことができるようになればよい。具体的には、ドライバ負荷の抵抗成分がＬＤ１側とＬＤ２側において±３０％程度の範囲で一致するように抵抗を補正すればよい。同様に、ドライバ負荷の容量成分がＬＤ１側とＬＤ２側において±３０％程度の範囲で一致するように容量を補正すればよい。
【００２２】
［実施例２］
図２ｂは、１つのドライバ回路で３種類のレーザダイオードＬＤ１，ＬＤ２，ＬＤ３を選択的に駆動する実施例について説明する。
【００２３】
ＬＤ１，ＬＤ２及びＬＤ３を、それぞれ図３に示したように抵抗Ｒと容量Ｃからなる等価回路で表したとき、ＬＤ１は抵抗Ｒ１と容量Ｃ１で表され、ＬＤ２は抵抗Ｒ２と容量Ｃ２で表され、ＬＤ３は抵抗Ｒ３と容量Ｃ３で表されるものとする。Ｃ１，Ｃ２，Ｃ３はダイオードを形成するＰＮ接合による接合容量を表し、Ｒ１，Ｒ２，Ｒ３はＩ−Ｖ特性の発振後の微分抵抗を表す。ここでは、一例として、ＬＤ１の抵抗Ｒ１がＲ２，Ｒ３より大きく、ＬＤ１の容量Ｃ１がＣ２，Ｃ３より大きい場合を例にとって説明する。この時、図２ｂに示すように、ＬＤ２に対しては抵抗Ｒ２Ａを直列に付加し、容量Ｃ２ＡをＬＤ２に並列に付加する。ＬＤ３に対しては、抵抗Ｒ３Ａを直列に付加し、容量Ｃ３Ａを並列に付加する。これらを付加することにより、ＬＤドライバ回路１０の負荷としてＬＤ１，ＬＤ２，ＬＤ３を同じにする。
【００２４】
ＬＤ２に付加する容量Ｃ２Ａ及び抵抗Ｒ２Ａの値は典型的には、
Ｃ１Ａ＝Ｃ２−Ｃ１      （２）
Ｒ２Ａ＝Ｒ１−Ｒ２      （３）
であり、ＬＤ３に付加する容量Ｃ３Ａ及び抵抗Ｒ３Ａの値は典型的には、
Ｃ１Ａ＝Ｃ２−Ｃ１      （４）
Ｒ２Ａ＝Ｒ１−Ｒ２      （５）
である。しかし、厳密に上式（２）〜（５）の関係が成立する必要はなく、ドライバ回路１０の負荷の抵抗成分及び容量成分がＬＤ１側、ＬＤ２側及びＬＤ３側において実質的に同一と見なすことができればよい。そのためには、ドライバ負荷の抵抗成分がＬＤ１側、ＬＤ２側、ＬＤ３側において±３０％程度の範囲で一致するように、抵抗Ｒ２Ａ、Ｒ３Ａが付加されればよい。同様に、ドライバ負荷の容量成分がＬＤ１側、ＬＤ２側、ＬＤ３側において±３０％程度の範囲で一致するように、容量Ｃ２Ａ、Ｃ３Ａが付加されればよい。
【００２５】
［実施例３］
ＬＤ１，ＬＤ２の２つのレーザダイオードを一つのドライバ回路で駆動する第２の実施例を図６に示す。基本的に実施例１と同じ事項に関しては説明を省略する。実施例１との違いは、ＬＤ１とＬＤ２のパラメータが異なり、抵抗はＬＤ１の抵抗Ｒ１の方がＬＤ２の抵抗Ｒ２より大きく、ダイオード間容量はＬＤ２の容量Ｃ２の方がＬＤ１の容量Ｃ１より大きい場合である。
【００２６】
本実施例では、ＬＤ１側には並列に容量Ｃ１Ａを付加し、ＬＤ２側には抵抗Ｒ２Ａを付加して、ＬＤ１及びＬＤ２を共通のＬＤドライバ回路１０で駆動する。容量Ｃ１Ａ及び抵抗Ｒ２Ａの値は典型的には、
Ｃ１Ａ＝Ｃ２−Ｃ１      （６）
Ｒ２Ａ＝Ｒ１−Ｒ２      （７）
である。しかし、厳密に上式（６）（７）の関係が成立する必要はなく、ドライバ回路１０の負荷の抵抗成分及び容量成分がＬＤ１側とＬＤ２側において実質的に同一と見なすことができるように容量Ｃ１Ａ及び抵抗Ｒ２Ａが付加されればよい。具体的には、ドライバ負荷の抵抗成分がＬＤ１側とＬＤ２側において±３０％程度の範囲で一致するように抵抗Ｒ２Ａが付加されればよい。同様に、ドライバ負荷の容量成分がＬＤ１側とＬＤ２側において±３０％程度の範囲で一致するように容量Ｃ１Ａが付加されればよい。
【００２７】
本例は、このようにＬＤ１駆動時とＬＤ２駆動時でＬＤドライバ回路の負荷を一定にするために、２つのレーザダイオードの特性を調べてお互いに容量あるいは抵抗を付加して用いる実施例である。この場合にも、ＬＤの駆動信号の劣化を低減することができる。
【００２８】
［実施例４］
複数のＬＤとＬＤドライバ回路の配置を図７に示す。ＬＤとＬＤドライバ回路の距離の目安としてはＬＤの最大動作周波数（ｆｍ）の波長（λ）の１／１０以下が望ましいことは上述した。各ＬＤの使用される最大倍速からウィンドウ幅を割り出し、ストラテジーにおいて用いられる最大動作周波数（ｆｍLD）を求める。ＬＤを２つ用いる場合、このｆｍLD1とｆｍLD2を比較して、高い周波数を必要とする側のＬＤ−ＬＤドライバ間の距離が短くなるようにＬＤドライバ回路１０を配置する。
【００２９】
図７（ａ）の例ではｆｍLD1＞ｆｍLD2であるので、ドライバ回路１０からＬＤ１，ＬＤ２までの伝送路のインダクタンスＬ１，Ｌ２がＬ１＞Ｌ２となるように、ＬＤ１，ＬＤ２とＬＤドライバ回路１０を配置する。図７（ｂ）の例ではｆｍLD1＞ｆｍLD2＞ｆｍLD3であるので、ドライバ回路１０からＬＤ１，ＬＤ２，ＬＤ３までの伝送路のインダクタンスＬ１，Ｌ２，ｌ３がＬ１＞Ｌ２＞Ｌ３となるように、ＬＤ１，ＬＤ２，ＬＤ３とＬＤドライバ回路１０を配置する。
【００３０】
図８に、実施例１と同様にＤＶＤ１６倍速のウィンドウ幅に相当する５００ＭＨｚのパルス波形の伝送距離依存性を示す。（ａ）はＬＤ−ＬＤドライバ回路間の距離を（１／２０）λにしたときの波形、（ｂ）は（１／５）λにしたときの波形である。（ｂ）では波形劣化が大きく、トップの電流値が小さくなっているため光出力のパワーも減少する。つまりＬＤ−ＬＤドライバ回路間の距離が長すぎると、所望のマークが記録できないため読み取り時にエラーの原因となる。これを避けるためにも、ＬＤ−ＬＤドライバ回路間の距離の管理は重要である。
【００３１】
［実施例５］
プリエンファシス技術を導入した実施例について説明する。光ディスク記録装置では光ディスクのＮ倍速記録を実現するにあたり、１倍速からＮ倍速に対応する必要がある。例えば、ＤＶＤでは１６倍速までが製品化される予定であり、記録波形としてウィンドウ幅で５００ＭＨｚの高周波を要求される。このとき図９に示すように、ドライバ回路１０がなんらかの理由で光ピックアップ２０に搭載できない場合は、ＬＤ−ＬＤドライバ回路間の距離を（１／１０）λ以下にすることができず、波形補償技術が必要となる。
【００３２】
図１０は、プリエンファシス技術の説明図である。プリエンファシス技術とは、高周波伝送が困難な伝送路の周波数特性をあらかじめ求めておき、その特性を補償するためにデータ送信時に特定の周波数を強調して送る技術である。図１０（ａ）に示すように、高い周波数成分をもつパルスを大きく増幅して伝送することにより、伝送による高周波成分の減衰をカバーして所望のＬＤ駆動波形を得ることができる。図１０（ｂ）は、伝送路の周波数特性の逆関数にあたるプリエンファシス量の周波数特性を示す図である。プリエンファシス量とは、高周波成分の振幅を低周波成分の振幅に対して何倍にするかを表す量である。図示するように、周波数が高いほどプリエンファシス量は大きくなる。これを速度とマーク長のテーブルとしてＬＤドライバ回路に持たせる。
【００３３】
プリエンファシス技術導入した構成図を図１１（ａ）に、ＤＶＤを例とした速度とマーク長によるプリエンファシステーブルを図１１（ｂ）に示す。このテーブルに従って、強調させる（ここでは電流を増倍させる）値を読み出して、駆動電流を決めることにより、ＬＤドライバ回路−ＬＤ間の電気信号の伝送にプリエンファシス技術を導入する。これにより複数のＬＤを一つのＬＤドライバ回路で駆動するために距離が長くなってしまった伝送路でも信号の正確な伝送を可能とする。
【００３４】
以上、実施の形態に沿って本発明を説明したが、本発明はこれらに制限されるものではない。その他、種々の変更、改良、組み合わせが可能なことは自明である。
【図面の簡単な説明】
【００３５】
【図１】ドライバ回路が光ピックアップに搭載された光記録装置の例を示す概略図。
【図２ａ】ＬＤ１とＬＤ２を一つのＬＤドライバで駆動する光記録装置の構成例を示す図。
【図２ｂ】ＬＤ１，ＬＤ２，ＬＤ３を一つのＬＤドライバで駆動する光記録装置の構成例を示す図。
【図３】レーザダイオード（ＬＤ）を抵抗と容量の等価回路で示した図。
【図４】ＬＤ１とＬＤ２のＩ−Ｖ特性の違いを示す図。
【図５】本発明を用いた場合（ａ）と用いない場合（ｂ）の波形の違いを示す図。
【図６】ＬＤ１とＬＤ２を一つのＬＤドライバで駆動する光記録装置の構成例を示す図。
【図７】複数のＬＤとドライバ回路の距離を示す図。
【図８】ＬＤとＬＤドライバの距離がλ／２０の時の波形（ａ）と、距離がλ／５の時の波形（ｂ）を示す図。
【図９】ドライバ回路が光ピックアップに搭載されない光記録装置の例を示す概略図。
【図１０】プリエンファシス技術の説明図。
【図１１】プリエンファシス技術を導入した実施例を示す図。
【図１２】ライトステラテジー（３値の場合）の一例とこのストラテジーにより光記録媒体に形成される記録マークの説明図。
【図１３】駆動電流と光出力の関係を示す図。
【符号の説明】
【００３６】
ＬＤ，ＬＤ１，ＬＤ２，ＬＤ３…レーザダイオード
Ｌ１，Ｌ２，Ｌ３…インダクタンス
１０…ＬＤドライバ回路
１５…スイッチ
１６…記録データ
１７…符号化回路
１８…記録パルス生成回路
１９…光ディスク
２０…光ピックアップ
【図１】
2006012258.tif 000003
【図２ａ】
2006012258.tif 000004
【図２ｂ】
2006012258.tif 000005
【図３】
2006012258.tif 000006
【図４】
2006012258.tif 000007
【図５】
2006012258.tif 000008
【図６】
2006012258.tif 000009
【図７】
2006012258.tif 000010
【図８】
2006012258.tif 000011
【図９】
2006012258.tif 000012
【図１０】
2006012258.tif 000013
【図１１】
2006012258.tif 000014
【図１２】
2006012258.tif 000015
【図１３】
2006012258.tif 000016